(57)【特許請求の範囲】
【請求項１】
樹脂製のシュラウド本体（１１）に一体形成されるリング部（１５）の中心に、モータ（１７）が固定される環状のモータ取付部（１９）を、支持部（２１）を介して一体形成してなるモータファンシュラウドにおいて、
前記モータ取付部（１９）に、前記モータ（１７）の外側端面（１７ａ）を覆う遮熱部（２３）を一体形成するとともに、モータ挿入用の切欠部（２７）を形成し、前記遮熱部（２３）の前記切欠部（２７）側に、前記支持部（２１）に接続される補強用ブリッジ（３７）を一体形成してなることを特徴とするモータファンシュラウド。
【請求項２】
請求項１記載のモータファンシュラウドにおいて、
前記遮熱部（２３）が、前記モータ取付部（１９）に、足部（２５）を介して一体形成されていることを特徴とするモータファンシュラウド。
【請求項３】
請求項２記載のモータファンシュラウドにおいて、
前記足部（２５）が、前記環状のモータ取付部（１９）の内側に位置されていることを特徴とするモータファンシュラウド。
【発明の詳細な説明】
【０００１】
【発明の属する技術分野】
本発明は、自動車のラジエータに外部空気を導入するためのモータファンシュラウドに関する。
【０００２】
【従来の技術】
一般に、自動車では、ラジエータに外部空気を効率的に導入するため、例えば、ラジエータの背面にモータファンシュラウドが装着されている。
【０００３】
図５は、この種のモータファンシュラウドを示すもので、このモータファンシュラウドでは、ラジエータ１の背面に樹脂製のシュラウド本体２が配置されている。
シュラウド本体２には、ファン３が収容されるリング部４が一体形成されており、リング部４の中心に、モータ５が固定される環状のモータ取付部６が、支持部７を介して一体形成されている。
【０００４】
そして、モータ５の外側端面を覆って、エンジンの排気マニホールド８側からの高温の輻射熱を遮熱し、モータ５を保護するための遮熱板９が配置されている。
この遮熱板９は、例えば、鉄板からなり、モータ取付部６に、例えば、ボルト１０により固定されている。
【０００５】
【発明が解決しようとする課題】
しかしながら、このような従来のモータファンシュラウドでは、モータ５の外側端面を覆って、遮熱板９を別途固定しているため、部品点数が増大し、また、遮熱板９の取り付けに多大な工数が必要になるという問題があった。
【０００６】
本発明は、かかる従来の問題を解決したもので、遮熱板の取り付けを不要にすることができるモータファンシュラウドを提供することを目的とする。
【０００７】
【課題を解決するための手段】
請求項１のモータファンシュラウドは、樹脂製のシュラウド本体に一体形成されるリング部の中心に、モータが固定される環状のモータ取付部を、支持部を介して一体形成してなるモータファンシュラウドにおいて、前記モータ取付部に、前記モータの外側端面を覆う遮熱部を一体形成するとともに、モータ挿入用の切欠部を形成し、前記遮熱部の前記切欠部側に、前記支持部に接続される補強用ブリッジを一体形成してなることを特徴とする。
【０００８】
請求項２のモータファンシュラウドは、請求項１記載のモータファンシュラウドにおいて、前記遮熱部が、前記モータ取付部に、足部を介して一体形成されていることを特徴とする。
請求項３のモータファンシュラウドは、請求項２記載のモータファンシュラウドにおいて、前記足部が、前記環状のモータ取付部の内側に位置されていることを特徴とする。
【００１０】
（作用）
請求項１のモータファンシュラウドでは、遮熱部の切欠部側に、支持部に接続される補強用ブリッジが一体形成され、この補強用ブリッジが成形時に樹脂の流れ通路とされる。
請求項２のモータファンシュラウドでは、遮熱部が、モータ取付部に、足部を介して一体形成される。
【００１１】
請求項３のモータファンシュラウドでは、足部が、環状のモータ取付部の内側に位置される。
【００１２】
【発明の実施の形態】
以下、本発明の実施形態を図面を用いて詳細に説明する。
図１ないし図３は、本発明のモータファンシュラウドの一実施形態を示しており、図１および図２では、図面の調整上上下位置が逆に示されている。
これ等の図において符号１１は、図示しないラジエータの背面に配置されるシュラウド本体を示している。
【００１３】
このシュラウド本体１１は、図２に示すように、正方形状をしており、例えば、ナイロンからなる耐熱性の樹脂により形成されている。
シュラウド本体１１には、ファン１３が収容される円環状のリング部１５が一体形成されている。
このリング部１５の中心には、モータ１７が固定される円環状のモータ取付部１９が、複数の支持部２１を介して一体形成されている。
【００１４】
そして、モータ１７の外側端面１７ａを覆って、エンジンの排気マニホールド側からの高温の輻射熱を遮熱し、モータ１７を保護するための円形状の遮熱部２３が配置されている。
この遮熱部２３は、モータ取付部１９に、２箇所の足部２５を介して一体形成されている。
【００１５】
２箇所の足部２５は、円環状のモータ取付部１９の内側に位置されている。
そして、この実施形態では、円環状のモータ取付部１９が、略９０度の角度で切り欠かれ、モータ１７をモータ１７の側面からモータ取付部１９内に挿入するための切欠部２７が形成されている。
この切欠部２７は、モータ１７の直径より大きい幅で切り欠かれている。
【００１６】
モータ１７の軸長方向の中央には、三角形状のブラケット２９が形成されている。
このブラケット２９の角部には、雌螺子部２９ａが形成され、図３に示すように、ボルト３１によりモータ取付部１９の取付座１９ａに固定されている。
【００１７】
遮熱部２３の切欠部２７側には、モータ１７のカプラー３３を熱的に保護する矩形状の突出部３５が形成されている。
そして、この突出部３５の両側には、支持部２１の略中央に接続される補強用ブリッジ３７が一体形成されている。
上述したモータファンシュラウドでは、モータ取付部１９へのモータ１７の取り付けは、モータ１７をシュラウド本体１１のファン１３収容側からモータ取付部１９に導き、モータ１７の側面を切欠部２７からモータ取付部１９に挿入し、モータ１７のブラケット２９をモータ取付部１９の遮熱部２３側に形成される取付座１９ａに当接し、この状態で、シュラウド本体１１のファン１３収容側から取付座１９ａの貫通穴を貫通してブラケット２９の角部の雌螺子部２９ａにボルト３１を螺合することにより行われる。
【００１８】
従って、シュラウド本体１１側から全ての組み付けを容易，確実に行うことが可能になる。
以上のように構成されたモータファンシュラウドでは、モータ取付部１９に、モータ１７の外側端面１７ａを覆う遮熱部２３を一体形成したので、遮熱板の取り付けを不要にすることができ、この結果、部品点数を減少し、取付工数を削減することができる。
【００１９】
また、遮熱部２３を、モータ取付部１９に、足部２５を介して一体形成したので、モータ１７の側方が遮熱部２３により塞がれることがなくなり、モータ１７の熱をモータ１７の側方から確実に放熱することができる。
さらに、上述したモータファンシュラウドでは、足部２５を、環状のモータ取付部１９の内側に位置させたので、足部２５の成形を容易，確実に行うことができる。
【００２０】
すなわち、足部２５を、環状のモータ取付部１９の内側に位置させることにより、図４に示すように、樹脂成形用の上型３９と下型４１とを、足部２５の形成されない位置で当接して配置することが可能になり、足部２５の成形を容易，確実に行うことができる。
【００２１】
また、上述したモータファンシュラウドでは、環状のモータ取付部１９に、モータ挿入用の切欠部２７を形成したので、この切欠部２７からモータ１７をモータ取付部１９に容易，確実に装着することができる。
さらに、上述したモータファンシュラウドでは、遮熱部２３の切欠部２７側に、支持部２１に接続される補強用ブリッジ３７を一体形成したので、遮熱部２３の強度を高めることができ、また、成形時における樹脂流れを促進することができる。
【００２２】
すなわち、上述したモータファンシュラウドでは、遮熱部２３の内側（ファン１３収容側）における図２に二点鎖線の円Ｇで示した位置から樹脂の射出が行われるが、この時に、補強用ブリッジ３７が、樹脂の通り路となり、成形時におけるシュラウド本体１１の四隅への樹脂流れを促進することができる。
また、補強用ブリッジ３７により、切欠部２７によるシュラウド本体１１および支持部２１の強度の低下を補強することができる。
【００２３】
さらに、上述したモータファンシュラウドでは、切欠部２７を、モータ１７をシュラウド本体１１のファン１３収容側から取り付ける時に、モータ１７のカプラー３３が通過する切り欠きとして有効に使用することができる。
【００２４】
【発明の効果】
以上述べたように、請求項１のモータファンシュラウドでは、遮熱部の切欠部側に、支持部に接続される補強用ブリッジを一体形成したので、遮熱部の強度を高めることができ、また、成形時における樹脂流れを促進することができる。
【００２５】
請求項２のモータファンシュラウドでは、遮熱部を、モータ取付部に、足部を介して一体形成したので、モータの側方が遮熱部により塞がれることがなくなり、モータの熱をモータの側方から確実に放熱することができる。
請求項３のモータファンシュラウドでは、足部を、環状のモータ取付部の内側に位置したので、足部の成形を容易，確実に行うことができる。
【図面の簡単な説明】
【図１】本発明のモータファンシュラウドの一実施形態を示す側面図である。
【図２】図１のモータファンシュラウドを示す背面図である。
【図３】図１のモータファンシュラウドを示す上面図である。
【図４】樹脂成形用金型の一部を示す断面図である。
【図５】従来のモータファンシュラウドを示す側面図である。
【符号の説明】
１１  シュラウド本体
１５  リング部
１７  モータ
１７ａ  外側端面
１９  モータ取付部
２１  支持部
２３  遮熱部
２５  足部
２７  切欠部
３７  補強用ブリッジ
【図１】
0003892934.tif 000002
【図２】
0003892934.tif 000003
【図３】
0003892934.tif 000004
【図４】
0003892934.tif 000005
【図５】
0003892934.tif 000006